(57)【要約】  表示駆動方法及び関連装置であって、方法は、スクリーンオフ表示領域が点灯された場合に、スクリーンオフ表示領域に含まれるｎ個の画素位置に対応するｎ個のバックライト輝度（ｎは１よりも大きい整数である）を確定するステップ（１０１）と、ｎ個のバックライト輝度と補償グレースケール式とに基づいて、ｎ個のバックライト輝度に対応するｎ個の補償グレースケールを確定するステップ（１０２）と、ｎ個の補償グレースケールに基づいて液晶分子を対応して偏向駆動するステップ（１０３）とを含む。スクリーンオフ表示の画面全体の輝度を一致させることができる。【選択図】図１
2021501908.tif 000002
【特許請求の範囲】
【請求項１】
スクリーンオフ表示領域が点灯されている場合に、前記スクリーンオフ表示領域に含まれるｎ個の画素位置に対応するｎ個のバックライト輝度（前記ｎは１よりも大きい整数である）を確定するステップと、
前記ｎ個のバックライト輝度と補償グレースケール式とに基づいて、前記ｎ個のバックライト輝度に対応するｎ個の補償グレースケールを確定するステップと、
前記ｎ個の補償グレースケールに基づいて液晶分子を対応して偏向駆動するステップとを含むことを特徴とする表示駆動方法。
【請求項２】
表示駆動装置にバックライト輝度シーケンスが記憶され、前記バックライト輝度シーケンスが前記スクリーンオフ表示領域のＮ個のバックライト輝度レベル（前記Ｎは１よりも大きい整数である）を含み、第１バックライト輝度レベルでは、画素位置ｉがバックライト輝度ｊに対応し、前記バックライト輝度ｊが補償グレースケールｋに対応し、第２バックライト輝度レベルでは、前記画素位置ｉがバックライト輝度ｘに対応し、前記バックライト輝度ｘが補償グレースケールｙに対応し、バックライト輝度ｊと補償グレースケールｋに対応する透過率との積がバックライト輝度ｘと補償グレースケールｙに対応する透過率との積に等しく、前記第１バックライト輝度レベル及び前記第２バックライト輝度レベルがＮ個のバックライト輝度レベルのうちいずれか２つであり、前記画素位置ｉが前記ｎ個の画素位置のうちいずれか１つであることを特徴とする
請求項１に記載の方法。
【請求項３】
前記バックライト輝度シーケンスは前記Ｎ個のバックライト輝度レベルが設定された順序で構成され、前記スクリーンオフ表示領域のバックライト輝度レベルは表示駆動装置が前記バックライト輝度シーケンスによって循環的に設定され、前記スクリーンオフ表示領域が異なるバックライト輝度レベルで点灯される時間が同じであることを特徴とする
請求項２に記載の方法。
【請求項４】
前記スクリーンオフ表示領域に含まれるｎ個の画素位置に対応するｎ個のバックライト輝度を確定する前記ステップは、
前記ｎ個の画素位置を番号付けて順序付けることと、
順序付け後の順序によってスクリーンオフ表示領域に含まれるｎ個の画素位置に対応するｎ個のバックライト輝度を順次確定することとを含むことを特徴とする
請求項１〜３のいずれか一項に記載の方法。
【請求項５】
前記スクリーンオフ表示領域に含まれるｎ個の画素位置に対応するｎ個のバックライト輝度を確定する前記ステップは、
Ｍ個のサブ領域を得るために、前記スクリーンオフ表示領域を区分し、サブ領域１個当たりに複数の画素位置が含まれ、Ｍ個のサブ領域に合計で含まれる画素位置（前記Ｍは１よりも大きい整数である）をｎとすることと、
サブ領域ｉに含まれる１つの画素位置のバックライト輝度を確定し、前記サブ領域ｉが前記Ｍ個のサブ領域のいずれか１つであることと、
前記サブ領域ｉに含まれる前記画素位置のバックライト輝度を前記サブ領域ｉのバックライト輝度とすることとを含むことを特徴とする
請求項１〜３のいずれか一項に記載の方法。
【請求項６】
前記ｎ個の補償グレースケールに基づいて液晶分子を対応して偏向駆動する前記ステップは、
前記ｎ個の補償グレースケールとグレースケール変換式とに基づいて、前記ｎ個の補償グレースケールに対応するｎ個の整数グレースケールを確定することと、
前記ｎ個の整数グレースケールを前記ｎ個の整数グレースケールに対応するｎ個の駆動電圧パラメータに変換することと、
前記ｎ個の駆動電圧パラメータに基づいて液晶分子を対応して偏向駆動することとを含むことを特徴とする
請求項１〜５のいずれか一項に記載の方法。
【請求項７】
スクリーンオフ表示領域が点灯されている場合に、前記スクリーンオフ表示領域に含まれるｎ個の画素位置に対応するｎ個のバックライト輝度（前記ｎは１よりも大きい整数である）を確定するための確定ユニットであって、前記ｎ個のバックライト輝度と補償グレースケール式とに基づいて、前記ｎ個のバックライト輝度に対応するｎ個の補償グレースケールを確定する確定ユニットと、
前記ｎ個の補償グレースケールに基づいて液晶分子を対応して偏向駆動する駆動ユニットとを含むことを特徴とする表示駆動装置。
【請求項８】
表示駆動装置にバックライト輝度シーケンスが記憶され、前記バックライト輝度シーケンスが前記スクリーンオフ表示領域のＮ個のバックライト輝度レベル（前記Ｎは１よりも大きい整数である）を含み、第１バックライト輝度レベルでは、画素位置ｉがバックライト輝度ｊに対応し、前記バックライト輝度ｊが補償グレースケールｋに対応し、第２バックライト輝度レベルでは、前記画素位置ｉがバックライト輝度ｘに対応し、前記バックライト輝度ｘが補償グレースケールｙに対応し、バックライト輝度ｊと補償グレースケールｋに対応する透過率との積がバックライト輝度ｘと補償グレースケールｙに対応する透過率との積に等しく、前記第１バックライト輝度レベル及び前記第２バックライト輝度レベルがＮ個のバックライト輝度レベルのうちいずれか２つであり、前記画素位置ｉが前記ｎ個の画素位置のうちいずれか１つであることを特徴とする
請求項７に記載の装置。
【請求項９】
前記バックライト輝度シーケンスは前記Ｎ個のバックライト輝度レベルが設定された順序で構成され、前記スクリーンオフ表示領域のバックライト輝度レベルは表示駆動装置が前記バックライト輝度シーケンスによって循環的に設定され、前記スクリーンオフ表示領域が異なるバックライト輝度レベルで点灯される時間が同じであることを特徴とする
請求項８に記載の装置。
【請求項１０】
前記スクリーンオフ表示領域に含まれるｎ個の画素位置に対応するｎ個のバックライト輝度を確定する点において、前記確定ユニットは、
前記ｎ個の画素位置を番号付けて順序付け、順序付け後の順序によってスクリーンオフ表示領域に含まれるｎ個の画素位置に対応するｎ個のバックライト輝度を順次確定するために用いられることを特徴とする
請求項７〜９のいずれか一項に記載の装置。
【請求項１１】
前記スクリーンオフ表示領域に含まれるｎ個の画素位置に対応するｎ個のバックライト輝度を確定する点において、前記確定ユニットは、
Ｍ個のサブ領域を得るために、前記スクリーンオフ表示領域を区分し、サブ領域１個当たりに複数の画素位置が含まれ、Ｍ個のサブ領域に合計で含まれる画素位置（前記Ｍは１よりも大きい整数である）をｎとし、
サブ領域ｉに含まれる１つの画素位置のバックライト輝度を確定し、前記サブ領域ｉが前記Ｍ個のサブ領域のいずれか１つであり、
前記サブ領域ｉに含まれる前記画素位置のバックライト輝度を前記サブ領域ｉのバックライト輝度とするために用いられることを特徴とする
請求項７〜９のいずれか一項に記載の装置。
【請求項１２】
前記ｎ個の補償グレースケールに基づいて液晶分子を対応して偏向駆動する点において、前記駆動ユニットは、
前記ｎ個の補償グレースケールとグレースケール変換式とに基づいて、前記ｎ個の補償グレースケールに対応するｎ個の整数グレースケールを確定し、
前記ｎ個の整数グレースケールを前記ｎ個の整数グレースケールに対応するｎ個の駆動電圧パラメータに変換し、
前記ｎ個の駆動電圧パラメータに基づいて液晶分子を対応して偏向駆動するために用いられることを特徴とする
請求項７〜１１のいずれか一項に記載の装置。
【請求項１３】
１つ又は複数のプロセッサと、１つ又は複数のメモリと、１つ又は複数のトランシーバと、１つ又は複数のプログラムとを含み、前記１つ又は複数のプログラムが前記メモリに格納され、前記１つ又は複数のプロセッサによって実行されるように構成され、前記プログラムが、請求項１〜６のいずれか一項に記載の方法におけるステップを実行するための命令を含むことを特徴とする表示駆動装置。
【請求項１４】
スクリーンオフ表示時に、バックライト輝度レベルが周期的に変化し、各画素位置の液晶分子が補償グレースケールにより駆動されて対応して偏向され、請求項１〜６のいずれか一項に記載の表示駆動方法により駆動されることを特徴とする液晶表示パネル。
【請求項１５】
電子データ交換用のコンピュータプログラムが格納されているコンピュータ可読記憶媒体であって、前記コンピュータプログラムが請求項１〜６のいずれか一項に記載の方法をコンピュータに実行させることを特徴とするコンピュータ可読記憶媒体。
【請求項１６】
請求項１〜６のいずれか一項に記載の方法をコンピュータに実行させるように動作可能なコンピュータプログラムが格納された非一時的コンピュータ可読記憶媒体を含むことを特徴とするコンピュータプログラム製品。
【発明の詳細な説明】
【技術分野】
【０００１】
本発明は、液晶パネル表示技術分野に関し、特に表示駆動及び関連装置に関する。
【背景技術】
【０００２】
現代社会では、人とディスプレイとのインタラクションは人々が情報を取得して共有する重要な方法となっており、液晶ディスプレイは良好な画面再現性のために現在のディスプレイの主流となっている。液晶ディスプレイの基本原理は、バックライトによって液晶セルを照射し、液晶セルがＴＦＴアレイによって液晶分子の偏光状態を変更させることによって、ライトバルブがグレースケールの大きさを制御することを実現する。ディスプレイは、非正規動作状態では常にスクリーンオフ状態にあるが、スクリーンオフ状態で時間、メッセージなどを表示するメール着信機能に対応する要望が高まっている。
【０００３】
一般的に、スクリーンオフ表示の情報の多くは白色又は色文字である。液晶のグレースケールが最大値付近にあることは、液晶分子がスクリーンオフ表示において始終に最大角度で偏向させて状態を保持することを意味し、液晶分子の特性を硬化させてしまい、液晶分子及び配向層の物理化学的性質にある程度影響を与える。
【発明の概要】
【発明が解決しようとする課題】
【０００４】
本発明の実施例は、スクリーンオフ表示の画面全体の輝度を一致させることができる表示駆動方法及び関連装置を提供する。
【課題を解決するための手段】
【０００５】
第１態様において、本発明の実施例は、
スクリーンオフ表示領域が点灯されている場合に、前記スクリーンオフ表示領域に含まれるｎ個の画素位置に対応するｎ個のバックライト輝度（前記ｎは１よりも大きい整数である）を確定するステップと、
前記ｎ個のバックライト輝度と補償グレースケール式とに基づいて、前記ｎ個のバックライト輝度に対応するｎ個の補償グレースケールを確定するステップと、
前記ｎ個の補償グレースケールに基づいて液晶分子を対応して偏向駆動するステップとを含む表示駆動方法を提供している。
【０００６】
第２態様において、本発明の実施例は、
スクリーンオフ表示領域が点灯されている場合に、前記スクリーンオフ表示領域に含まれるｎ個の画素位置に対応するｎ個のバックライト輝度（前記ｎは１よりも大きい整数である）を確定するための確定ユニットであって、前記ｎ個のバックライト輝度と補償グレースケール式とに基づいて、前記ｎ個のバックライト輝度に対応するｎ個の補償グレースケールを確定する確定ユニットと、
前記ｎ個の補償グレースケールに基づいて液晶分子を対応して偏向駆動する駆動ユニットとを含む表示駆動装置を提供している。
【０００７】
第３態様において、本発明の実施例は、１つ又は複数のプロセッサと、１つ又は複数のメモリと、１つ又は複数のトランシーバと、１つ又は複数のプログラムとを含み、前記１つ又は複数のプログラムが前記メモリに格納され、前記１つ又は複数のプロセッサによって実行されるように構成され、前記プログラムが、第１態様に記載の方法におけるステップを実行するための命令を含む表示駆動装置を提供している。
【０００８】
第４態様において、本発明の実施例は、スクリーンオフ表示時に、バックライト輝度レベルが周期的に変化し、各画素位置の液晶分子が補償グレースケールにより駆動されて対応して偏向され、第１態様に記載の表示駆動方法により駆動される液晶表示パネルを提供している。
【０００９】
第５態様において、本発明の実施例は、電子データ交換用のコンピュータプログラムが格納されているコンピュータ可読記憶媒体であって、前記コンピュータプログラムが第１態様に記載の方法をコンピュータに実行させるコンピュータ可読記憶媒体を提供している。
【００１０】
第６態様において、本発明の実施例は、第１態様に記載の方法をコンピュータに実行させるように動作可能なコンピュータプログラムが格納された非一時的コンピュータ可読記憶媒体を含むコンピュータプログラム製品を提供している。
【発明の効果】
【００１１】
本発明の実施例を実施することにより、次の有益な効果を有する。
本発明において、まず、スクリーンオフ表示領域が点灯された場合に、現在のバックライト輝度レベルでスクリーンオフ表示領域に含まれるｎ個の画素位置に対応するｎ個のバックライト輝度を確定し、次いで、ｎ個のバックライト輝度を補償グレースケール式に通し、ｎ個のバックライト輝度に対応するｎ個の補償グレースケールを得、最後に、ｎ個の補償グレースケールに基づいて対応して偏向駆動する。このように、本発明によれば、スクリーンオフ表示の画面全体の輝度を一致させることができる。
【００１２】
本発明のこれらの態様又は他の態様は、以下の実施例の説明においてより容易に理解されるであろう。
【図面の簡単な説明】
【００１３】
以下、本発明の実施例又は従来技術の技術的手段をより明確に説明するために、実施例又は従来技術の説明に使用する添付図面を簡単に説明する。以下に説明する図面は、本発明の幾つかの実施例に過ぎず、当業者にとっては創造的努力なしにこれらの図面から他の図面を導き出すこともできることは明らかである。
【図１】図１は本発明の実施例に係る表示駆動方法のフローチャートである。
【図２】図２は本発明の実施例に係るスクリーンオフ表示領域の画素位置の番号付けて順序付けることを示す図である。
【図３】図３は本発明の実施例に係るスクリーンオフ表示領域の領域区分を示す図である。
【図４】図４は本発明の実施例に係る表示駆動装置の構造概略図である。
【図５】図５は本発明の実施例に係る他の表示駆動装置の構造概略図である。
【発明を実施するための形態】
【００１４】
以下、本発明に用いられた技術的手段及びその効果をより明らかにするために、本発明の好ましい実施例及び添付図面を参照して詳細に説明する。
【００１５】
当業者に本発明の技術的手段をよりよく理解させるために、以下、本発明の実施例における添付図面を参照しながら、本発明の実施例における技術的手段を明確かつ完全に説明する。説明される実施例は本発明の実施例のすべてではなく、その一部にすぎないことは明らかである。本発明の実施例に基づき、当業者が創造的な労働を行うことなく得られるすべての他の実施例は、いずれも本発明の保護範囲に属するべきである。
【００１６】
以下、それぞれ詳細に説明する。
【００１７】
本発明の明細書、特許請求の範囲及び添付の図面における「第１」、「第２」、「第３」及び「第４」などの用語は、異なる対象を区別するためのものであり、特定の順序を説明するためのものではない。また、「含む」及び「有する」という用語、並びにそれらの任意の変形は、非排他的な包含をカバーすることを意図している。例えば、一連のステップ又はユニットを含むプロセス、方法、システム、製品又は装置は、記載されたステップ又はユニットに限定されず、所望により、さらに記載されていないステップ又はユニットを含んでいてもよく、又は、これらのプロセス、方法、製品又は装置に固有の他のステップ又はユニットを含んでいてもよい。
【００１８】
本明細書に言及される「実施例」とは、実施例に関連して説明される特定の特徴、構造又は特性が、本発明の少なくとも１つの実施例に含まれ得ることを意味する。本明細書の様々な箇所で現れる該語句は、必ずしも全てが同じ実施例を指すものではなく、他の実施例と排他的である別個の又は代替の実施例でもない。当業者は、明示的及び暗黙的に、本明細書に記載の実施例を他の実施例と組み合わせることができることを理解する。
【００１９】
以下、当業者に理解されるように、本発明における一部の用語について説明する。
【００２０】
端末装置は、ユーザ装置（Ｕｓｅｒ  Ｅｑｕｉｐｍｅｎｔ，ＵＥ）とも呼ばれ、ユーザに音声及び／又はデータの接続性を提供する装置であり、例えば、無限接続機能を有する携帯機器、車載機器などである。一般的な端末装置は、スマートフォン、タブレットパソコン、ノートパソコン、パームトップパソコン、モバイルインターネットデバイス（ｍｏｂｉｌｅ  ｉｎｔｅｒｎｅｔ  ｄｅｖｉｃｅ，ＭＩＤ）、スマートウォッチ、スマートバンド、歩数計などのウェアラブルデバイスなどを含む。
【００２１】
図１を参照すると、図１は本発明の実施例に係る表示駆動方法のフローチャートである。表示駆動方法を実行する実行主体は端末装置、液晶表示パネルを含む表示駆動装置であってもよい。以下、表示駆動装置を主体として詳細に説明し、該方法はステップ１０１、ステップ１０２及びステップ１０３を含む。
【００２２】
ステップ１０１：スクリーンオフ表示領域が点灯されている場合に、表示駆動装置は前記スクリーンオフ表示領域に含まれるｎ個の画素位置に対応するｎ個のバックライト輝度（前記ｎは１よりも大きい整数である）を確定する。
【００２３】
ここで、スクリーンオフ表示領域とは、表示駆動装置がロック状態にある場合に、スクリーンが長時間にわたって点灯されて時間、着信情報、プッシュメッセージなどを表示する部分領域である。
【００２４】
スクリーンオフ表示領域の位置は固定的であってもよく、固定的でなくてもよい。スクリーンオフで時間を表示した場合、スクリーンオフ表示領域の位置が表示駆動装置の表示画面の上半分に位置し、スクリーンオフでプッシュ情報を表示した場合、スクリーンオフ表示領域の位置が表示駆動装置の表示画面の中間部分に位置する。
【００２５】
本発明のいくつかの実施例において、前記表示駆動装置は前記スクリーンオフ表示領域に含まれるｎ個の画素位置に対応するｎ個のバックライト輝度を確定するステップは、
表示駆動装置が前記ｎ個の画素位置を番号付けて順序付けることと、表示駆動装置が順序付け後の順序によってスクリーンオフ表示領域に含まれるｎ個の画素位置に対応するｎ個のバックライト輝度を順次確定することとを含む。
【００２６】
例えば、ｎを１６とすると、表示駆動装置がスクリーンオフ表示領域の１６個の画素位置を１〜１６のように番号付けて順序付け（図２に示すように）、表示駆動装置が順序付け後の１〜１６の順序によってスクリーンオフ表示領域に含まれる１６個の画素位置に対応する１６個のバックライト輝度（表１に示すように）を順次確定する。
【００２７】
【表１】
2021501908.tif 000003
【００２８】
本発明のいくつかの実施例において、前記表示駆動装置は前記スクリーンオフ表示領域に含まれるｎ個の画素位置に対応するｎ個のバックライト輝度を確定するステップは、
表示駆動装置は、Ｍ個のサブ領域を得るために、前記スクリーンオフ表示領域を区分し、サブ領域１個当たりに複数の画素位置が含まれ、Ｍ個のサブ領域に合計で含まれる画素位置（前記Ｍは１よりも大きい整数である）をｎとすることと、表示駆動装置がサブ領域ｉに含まれる１つの画素位置のバックライト輝度を確定し、前記サブ領域ｉが前記Ｍ個のサブ領域のいずれか１つであることと、表示駆動装置が前記サブ領域ｉに含まれる前記画素位置のバックライト輝度を前記サブ領域ｉのバックライト輝度とすることとを含む。
【００２９】
例えば、図３に示すように、表示駆動装置はスクリーンオフ表示領域の１６個の画素位置を区分し、４個のサブ領域（それぞれサブ領域１、サブ領域２、サブ領域３及びサブ領域４である）を得る。サブ領域１は１、２、５、６の計４個の画素位置を含み、サブ領域２は３、４、７、８の計４個の画素位置を含み、サブ領域３は９、１０、１３、１４の計４個の画素位置を含み、サブ領域４は１１、１２、１５、１６の計４個の画素位置を含、む。表示駆動装置はサブ領域１に含まれる画素位置１のバックライト輝度が８０ｌｕｘであると確定し、サブ領域２に含まれる画素位置３のバックライト輝度が８４ｌｕｘであると確定し、サブ領域３に含まれる画素位置９のバックライト輝度が８４ｌｕｘであると確定し、サブ領域４に含まれる画素位置１１のバックライト輝度が８８ｌｕｘであると確定する。表示駆動装置は、サブ領域１のバックライト輝度が８０ｌｕｘであり、サブ領域２のバックライト輝度が８４ｌｕｘであり、サブ領域３のバックライト輝度が８４ｌｕｘであり、サブ領域４のバックライト輝度が８８ｌｕｘであると確定する。
【００３０】
なお、表示駆動装置がスクリーンオフ表示領域の画素位置に対応するバックライト輝度を確定することは、従来技術であるので、その説明は省略する。
【００３１】
ステップ１０２：表示駆動装置が前記ｎ個のバックライト輝度と補償グレースケール式とに基づいて、前記ｎ個のバックライト輝度に対応するｎ個の補償グレースケールを確定する。
【００３２】
本発明のいくつかの実施例において、前記補償グレースケール式は、
【数１】
2021501908.tif 000004
である。
式中、ｍ∈［１，Ｎ］であり、前記Ｇｒａｙｍｎはバックライト輝度ｍ、画素位置ｎの補償グレースケールであり、前記Ｂｌｎ１ｎはバックライト輝度レベル１、画素位置ｎのバックライト輝度であり、前記Ｇｒａｙ１ｎはバックライト輝度１、画素位置ｎの補償グレースケールであり、前記Ｂｌｎｍｎはバックライト輝度レベルｍ、画素位置ｎのバックライト輝度である。
【００３３】
本発明のいくつかの実施例において、バックライト輝度レベル１である場合に、表示駆動装置はスクリーンオフ表示領域に含まれるｎ個の画素位置に対応するグレースケールＧｒａｙ１ｎは表２に示す通りである。
【表２】
2021501908.tif 000005
【００３４】
例えば、ｎを１６とすると、バックライト輝度レベル１である場合に、表示駆動装置は、スクリーンオフ表示領域に含まれる１６個の画素位置に対応する１６個のバックライト輝度（それぞれが８０ｌｕｘ、８２ｌｕｘ、８４ｌｕｘ、８６ｌｕｘ、８２ｌｕｘ、８４ｌｕｘ、８６ｌｕｘ、８８ｌｕｘ、８４ｌｕｘ、８６ｌｕｘ、８８ｌｕｘ、９０ｌｕｘ、８６ｌｕｘ、８８ｌｕｘ、９０ｌｕｘ、９２ｌｕｘである）を確定する。表示駆動装置は、表２から明らかなように、１６個の画素位置に対応する１６個のバックライト輝度に対応する１６個の補償グレースケール（それぞれが２２７、２２５、２２３、２２１、２２５、２２３、２２１、２１９、２２３、２２１、２１９、２１７、２２１、２１９、２１７、２１５である）を確定する。バックライト輝度レベル３である場合、表示駆動装置は、前記スクリーンオフ表示領域に含まれる１６個の画素位置に対応する１６個のバックライト輝度（それぞれが８４ｌｕｘ、８６ｌｕｘ、８８ｌｕｘ、９０ｌｕｘ、８６ｌｕｘ、８８ｌｕｘ、９０ｌｕｘ、９２ｌｕｘ、８８ｌｕｘ、９０ｌｕｘ、９２ｌｕｘ、９４ｌｕｘ、９０ｌｕｘ、９２ｌｕｘ、９４ｌｕｘ、９６ｌｕｘである）を確定する。表示駆動装置は補償グレースケール式
【数２】
2021501908.tif 000006
に基づいて前記１６個の画素位置に対応する１６個のバックライト輝度に対応する補償グレースケール（それぞれが２１６、２１５、２１３、２１１、２１５、２１３、２１１、２０９、２１３、２１１、２０９、２０８、２１１、２０９、２０８、２０６である）を得る。バックライト輝度レベル３である場合、画素位置３に対応するバックライト輝度に対応する補償グレースケール（２１３）は、Ｂｌｕ１３を８４ｌｕｘ、Ｇｒａｙ１３を２２３、Ｂｌｕ３３を８８ｌｕｘ及び補償グレースケール式
【数３】
2021501908.tif 000007
により得られる。
【００３５】
ステップ１０３：表示駆動装置が前記ｎ個の補償グレースケールに基づいて液晶分子を対応して偏向駆動する。
【００３６】
本発明のいくつかの実施例において、前記表示駆動装置が前記ｎ個の補償グレースケールに基づいて液晶分子を対応して偏向駆動するステップは、
表示駆動装置が前記ｎ個の補償グレースケールとグレースケール変換式とに基づいて、前記ｎ個の補償グレースケールに対応するｎ個の整数グレースケールを確定することと、
表示駆動装置が前記ｎ個の整数グレースケールを前記ｎ個の整数グレースケールに対応するｎ個の駆動電圧パラメータに変換することと、
表示駆動装置が前記ｎ個の駆動電圧パラメータに基づいて液晶分子を対応して偏向駆動することとを含む。
【００３７】
表示駆動装置が整数グレースケールをデジタルアナログにより整数グレースケールに対応する駆動電圧パラメータに変換することは、従来技術であるので、その説明を省略する。
【００３８】
本発明のいくつかの実施例において、前記グレースケール変換式は、
【数４】
2021501908.tif 000008
である。
式中、前記Ｇは整数グレースケールであり、前記Ｇｒａｙｍｎはバックライト輝度レベルｍ、画素位置ｎの補償グレースケールであり、前記ｇａｍｍａはディスプレイのｇａｍｍａ指数であり、前記Ｂはビット数である。
【００３９】
例えば、ｇａｍｍａを２とし、Ｂを４ｂｉｔとすると、表示駆動装置はバックライト輝度レベル３、画素位置１の補償グレースケールが２１６であると確定し、表示駆動装置がグレースケール変換式
【数５】
2021501908.tif 000009
に基づいて得られる整数グレースケールが２３５である。
【００４０】
さらに別の例として、ｎを１６とし、ｇａｍｍａを２とし、Ｂを４ｂｉｔとすると、バックライト輝度レベル３である場合、表示駆動装置はスクリーンオフ表示領域に含まれる１６個の画素位置に対応する１６個のバックライト輝度に対応する１６個の補償グレースケール（それぞれが２１６、２１５、２１３、２１１、２１５、２１３、２１１、２０９、２１３、２１１、２０９、２０８、２１１、２０９、２０８、２０６である）を確定し、グレースケール変換式
【数６】
2021501908.tif 000010
に基づいて対応する１６個の整数グレースケール（それぞれが２３５、２３５、２３４、２３２、２３５、２３４、２３２、２３１、２３４、２３２、２３１、２３１、２３２、２３１、２３１、２３０である）を得、前記１６個の整数グレースケールを前記１６個の整数グレースケールに対応する１６個の駆動電圧パラメータに変換し、前記１６個の駆動電圧パラメータに基づいて液晶分子を対応して偏向駆動する。
【００４１】
このように、本発明において、まず、スクリーンオフ表示領域が点灯された場合、現在のバックライト輝度レベルでスクリーンオフ表示領域に含まれるｎ個の画素位置に対応するｎ個のバックライト輝度を確定する。次いで、ｎ個のバックライト輝度を補償グレースケール式に通し、ｎ個のバックライト輝度に対応するｎ個の補償グレースケールを得る。最後に、ｎ個の補償グレースケールに基づいて対応して偏向駆動する。スクリーンオフ表示領域の画面輝度は複数の画素位置のバックライト輝度と補償グレースケールに対応する透過率との積によって決定される。同一画素位置にとっては、バックライト輝度が低い場合、対応する補償グレースケールが大きく、バックライト輝度が高い場合、対応する補償グレースケールが小さい。同一画素位置のバックライト輝度と補償グレースケールに対応する透過率との積が異なるバックライト輝度レベルで同じであるため、本発明によりスクリーンオフ表示の画面全体の輝度をほぼ一致させることができる。
【００４２】
本発明のいくつかの実施例において、表示駆動装置にバックライト輝度シーケンスが記憶される。前記バックライト輝度シーケンスは前記スクリーンオフ表示領域のＮ個のバックライト輝度レベル（前記Ｎは１よりも大きい整数である）を含む。第１バックライト輝度レベルでは、画素位置ｉがバックライト輝度ｊに対応し、前記バックライト輝度ｊが補償グレースケールｋに対応する。第２バックライト輝度レベルでは、前記画素位置ｉがバックライト輝度ｘに対応し、前記バックライト輝度ｘが補償グレースケールｙに対応する。バックライト輝度ｊと補償グレースケールｋに対応する透過率との積がバックライト輝度ｘと補償グレースケールｙに対応する透過率との積に等しく、前記第１バックライト輝度レベル及び前記第２バックライト輝度レベルがＮ個のバックライト輝度レベルのうちいずれか２つであり、前記画素位置ｉが前記ｎ個の画素位置のうちいずれか１つである。
【００４３】
例えば、バックライト輝度レベル１である場合に、表示駆動装置は、画素位置２に対応するバックライト輝度ｊ（例えば、８２ｌｕｘ）を確定し、前記バックライト輝度ｊ（例えば、８２ｌｕｘ）に対応する補償グレースケールｋ（例えば、２２５）を確定する。バックライト輝度レベル３である場合、表示駆動装置は、画素位置２に対応するバックライト輝度ｘ（例えば、８６ｌｕｘ）を確定し、前記バックライト輝度ｘ（例えば、８６ｌｕｘ）に対応する補償グレースケールｙ（例えば、２１５）を確定する。バックライト輝度ｊ（例えば、８２ｌｕｘ）と補償グレースケールｋ（例えば、２２５）に対応する透過率との積が、バックライト輝度ｘ（例えば、８６ｌｕｘ）と補償グレースケールｙ（例えば、２１５）に対応する透過率との積に等しくなると確定する。前記等しいとは一定の誤差範囲内の等しいと考えられてもよく、誤差は補償グレースケールがすべて整数であることに起因し、即ち補償グレースケール式により得られた補償グレースケールを四捨五入して整数をとる。
【００４４】
このように、本発明において、Ｎ個のバックライト輝度レベルのうちいずれか２個のバックライト輝度レベルの場合に、スクリーンオフ表示領域に含まれる同一画素位置のバックライト輝度と、前記バックライト輝度に対応する補償グレースケールとの積が同じであることで、異なるバックライト輝度レベルにおけるスクリーンオフ表示領域の画面全体の輝度を一致させることができる。
【００４５】
本発明のいくつかの実施例において、前記バックライト輝度シーケンスは前記Ｎ個のバックライト輝度レベルが設定された順序で配列されて構成され、前記スクリーンオフ表示領域のバックライト輝度レベルは表示駆動装置が前記バックライト輝度シーケンスによって循環的に設定され、前記スクリーンオフ表示領域が異なるバックライト輝度レベルで点灯される時間が同じである。
【００４６】
ここで、設定する順番は、小さい順でもよいし、大きい順でもよいが、ここでは限定されない。
【００４７】
スクリーンオフ表示領域が異なるバックライト輝度レベルで点灯される時間をＴとし、前記Ｔは１／６０秒よりはるかに長く、例えば、１／２０、１／１５、１／１０、１／５、１／２又はその他の値であってもよい。
【００４８】
例えば、Ｎを４とし、Ｔ＝１／５とすると、バックライト輝度シーケンスは、４つのバックライト輝度レベルがバックライト輝度レベル１、バックライト輝度レベル２、バックライト輝度レベル３、バックライト輝度レベル４の順に配列されて構成され、バックライト輝度レベル１＜バックライト輝度レベル２＜バックライト輝度レベル３＜バックライト輝度レベル４である。スクリーンオフ表示領域のバックライト輝度は、バックライト輝度シーケンスによって１／５秒おきに１つのバックライト輝度レベルが切り替えられ、現在のバックライト輝度レベル４である場合に、切り替えられた次のバックライト輝度レベルが、バックライト輝度レベル１である。
【００４９】
このように、スクリーンオフ表示領域のバックライト輝度レベルは周期的に変化し、スクリーンオフ表示領域に含まれる画素位置のバックライト輝度も周期的に変化するため、バックライト輝度に対応する補償グレースケールも周期的に変化し、本発明によって液晶分子の長時間硬化及び配向層材料の性質劣化を防止することができる。
【００５０】
以上、本発明の実施例の方法について詳細に説明したが、本発明の実施例の装置についてこれから説明する。
【００５１】
図４に示すように、図４は本発明の実施例に係る表示駆動装置４００であって、少なくとも１つのプロセッサ、少なくとも１つのメモリ、少なくとも１つの通信インタフェース及び１つ又は複数のプログラムを含み、
前記１つ又は複数のプログラムが前記メモリに格納され、前記プロセッサによって実行されるように構成され、前記プログラムは、
スクリーンオフ表示領域が点灯されている場合に、前記スクリーンオフ表示領域に含まれるｎ個の画素位置に対応するｎ個のバックライト輝度（前記ｎは１よりも大きい整数である）を確定するステップ、
前記ｎ個のバックライト輝度と補償グレースケール式とに基づいて、前記ｎ個のバックライト輝度に対応するｎ個の補償グレースケールを確定するステップ、
前記ｎ個の補償グレースケールに基づいて液晶分子を対応して偏向駆動するステップを実行するための命令を含む。
【００５２】
本発明のいくつかの実施例において、前記プログラムは、
表示駆動装置にバックライト輝度シーケンスが記憶され、前記バックライト輝度シーケンスが前記スクリーンオフ表示領域のＮ個のバックライト輝度レベル（前記Ｎは１よりも大きい整数である）を含み、第１バックライト輝度レベルでは、画素位置ｉがバックライト輝度ｊに対応し、前記バックライト輝度ｊが補償グレースケールｋに対応し、第２バックライト輝度レベルでは、前記画素位置ｉがバックライト輝度ｘに対応し、前記バックライト輝度ｘが補償グレースケールｙに対応し、バックライト輝度ｊと補償グレースケールｋに対応する透過率との積がバックライト輝度ｘと補償グレースケールｙに対応する透過率との積に等しく、前記第１バックライト輝度レベル及び前記第２バックライト輝度レベルがＮ個のバックライト輝度レベルのうちいずれか２つであり、前記画素位置ｉが前記ｎ個の画素位置のうちいずれか１つであるステップを実行するための命令を含む。
【００５３】
本発明のいくつかの実施例において、前記プログラムは、
前記バックライト輝度シーケンスは前記Ｎ個のバックライト輝度レベルが設定された順序で配列されて構成され、前記スクリーンオフ表示領域のバックライト輝度レベルは表示駆動装置が前記バックライト輝度シーケンスによって循環的に設定され、前記スクリーンオフ表示領域が異なるバックライト輝度レベルで点灯される時間が同じであるステップを実行するための命令を含む。
【００５４】
本発明のいくつかの実施例において、前記表示駆動装置は前記スクリーンオフ表示領域に含まれるｎ個の画素位置に対応するｎ個のバックライト輝度を確定し、前記プログラムは、
前記ｎ個の画素位置を番号付けて順序付けるステップ、順序付け後の順序によってスクリーンオフ表示領域に含まれるｎ個の画素位置に対応するｎ個のバックライト輝度を順次確定するステップを実行するための命令を含む。
【００５５】
本発明のいくつかの実施例において、前記表示駆動装置は前記スクリーンオフ表示領域に含まれるｎ個の画素位置に対応するｎ個のバックライト輝度を確定し、前記プログラムは、
Ｍ個のサブ領域を得るために、前記スクリーンオフ表示領域を区分し、サブ領域１個当たりに複数の画素位置が含まれ、Ｍ個のサブ領域に合計で含まれる画素位置（前記Ｍは１よりも大きい整数である）をｎとするステップ、サブ領域ｉに含まれる１つの画素位置のバックライト輝度を確定し、前記サブ領域ｉが前記Ｍ個のサブ領域のいずれか１つであるステップ、前記サブ領域ｉに含まれる前記画素位置のバックライト輝度を前記サブ領域ｉのバックライト輝度とするステップを実行するための命令を含む。
【００５６】
本発明のいくつかの実施例において、前記表示駆動装置が前記ｎ個の補償グレースケールに基づいて液晶分子を対応して偏向駆動し、前記プログラムは、
前記ｎ個の補償グレースケールとグレースケール変換式とに基づいて、前記ｎ個の補償グレースケールに対応するｎ個の整数グレースケールを確定するステップ、
前記ｎ個の整数グレースケールを前記ｎ個の整数グレースケールに対応するｎ個の駆動電圧パラメータに変換するステップ、
前記ｎ個の駆動電圧パラメータに基づいて液晶分子を対応して偏向駆動するステップを実行するための命令を含む。
【００５７】
なお、本実施例に記載の内容の具体的な実現形態は上記の方法を参照することができ、ここでは詳述しない。
【００５８】
以上、主に方法側からプロセスを実行する観点から、本発明の実施例の技術的手段について説明した。表示駆動装置は、上記の機能を実現するために、各機能を実行するためのハードウェア構成及び／又はソフトウェアモジュールを含むことが理解される。当業者は、本明細書に開示される実施例に記述される様々な例示的なユニット及びアルゴリズムステップを参照して、本発明がハードウェア又はハードウェアとコンピュータソフトウェアとの組み合わせの形態で実施され得ることを容易に理解するはずである。ある機能がハードウェアで実行されるかコンピュータソフトウェアにより駆動されるハードウェアで実行されるかは、技術的手段の特定のアプリケーション及び設計制約条件に依存する。当業者は、説明される機能を実施するために、特定のアプリケーションごとに異なる方法を使用することができるが、そのような実施は、本発明の範囲を超えると考えられるべきではない。
【００５９】
本発明の実施例は上述した方法例によって論じられる処理装置に対して機能ユニットを区分することができ、例えば、各機能に応じて各機能ユニットを区分してもよいし、２つ又は２つ以上の機能を１つの処理ユニットに集積してもよい。上記集積されたユニットは、ハードウェアの形態で実現されてもよいし、ソフトウェア機能ユニットの形態で実現されてもよい。なお、本発明の実施例におけるユニットの区分は模式的なものであり、論理機能区分に過ぎず、実際に実施する際に別の区分形態が存在する場合がある。
【００６０】
集積されるユニットを用いた場合に、図５は、上述した実施例に係る表示駆動装置の機能ユニット構成の一例を示すブロック図である。表示駆動装置５００は、確定ユニット５０１１及び駆動ユニット５０１２を含む処理ユニット５０１と、通信ユニット５０２と、記憶ユニット５０３とを含む。記憶ユニット５０３は、表示駆動装置のプログラムコード及びデータを記憶するために用いられる。通信ユニット５０２は、表示駆動装置と他の装置との通信をサポートするために用いられる。上述したいくつかのユニット（確定ユニット５０１１及び駆動ユニット５０１２）は、上述した方法の関連ステップを実行するために用いられる。
【００６１】
前記確定ユニット５０１１は、スクリーンオフ表示領域が点灯されている場合に、前記スクリーンオフ表示領域に含まれるｎ個の画素位置に対応するｎ個のバックライト輝度（前記ｎは１よりも大きい整数である）を確定するための確定ユニット５０１１であって、前記ｎ個のバックライト輝度と補償グレースケール式とに基づいて、前記ｎ個のバックライト輝度に対応するｎ個の補償グレースケールを確定するために用いられる。
【００６２】
前記駆動ユニット５０１２は、前記ｎ個の補償グレースケールに基づいて液晶分子を対応して偏向駆動する。
【００６３】
本発明のいくつかの実施例において、表示駆動装置にバックライト輝度シーケンスが記憶され、前記バックライト輝度シーケンスが前記スクリーンオフ表示領域のＮ個のバックライト輝度レベル（前記Ｎは１よりも大きい整数である）を含み、第１バックライト輝度レベルでは、画素位置ｉがバックライト輝度ｊに対応し、前記バックライト輝度ｊが補償グレースケールｋに対応し、第２バックライト輝度レベルでは、前記画素位置ｉがバックライト輝度ｘに対応し、前記バックライト輝度ｘが補償グレースケールｙに対応し、バックライト輝度ｊと補償グレースケールｋに対応する透過率との積がバックライト輝度ｘと補償グレースケールｙに対応する透過率との積に等しく、前記第１バックライト輝度レベル及び前記第２バックライト輝度レベルがＮ個のバックライト輝度レベルのうちいずれか２つであり、前記画素位置ｉが前記ｎ個の画素位置のうちいずれか１つである。
【００６４】
本発明のいくつかの実施例において、前記バックライト輝度シーケンスは前記Ｎ個のバックライト輝度レベルが設定された順序で配列されて構成され、前記スクリーンオフ表示領域のバックライト輝度レベルは表示駆動装置が前記バックライト輝度シーケンスによって循環的に設定され、前記スクリーンオフ表示領域が異なるバックライト輝度レベルで点灯される時間が同じである。
【００６５】
本発明のいくつかの実施例において、前記スクリーンオフ表示領域に含まれるｎ個の画素位置に対応するｎ個のバックライト輝度を確定する点において、前記確定ユニット５０１１は具体的に、
前記ｎ個の画素位置を番号付けて順序付け、順序付け後の順序によってスクリーンオフ表示領域に含まれるｎ個の画素位置に対応するｎ個のバックライト輝度を順次確定するために用いられる。
【００６６】
本発明のいくつかの実施例において、前記スクリーンオフ表示領域に含まれるｎ個の画素位置に対応するｎ個のバックライト輝度を確定する点において、前記確定ユニット５０１１は具体的に、
Ｍ個のサブ領域を得るために、前記スクリーンオフ表示領域を区分し、サブ領域１個当たりに複数の画素位置が含まれ、Ｍ個のサブ領域に合計で含まれる画素位置（前記Ｍは１よりも大きい整数である）をｎとし、サブ領域ｉに含まれる１つの画素位置のバックライト輝度を確定し、前記サブ領域ｉが前記Ｍ個のサブ領域のいずれか１つであり、前記サブ領域ｉに含まれる前記画素位置のバックライト輝度を前記サブ領域ｉのバックライト輝度とするために用いられる。
【００６７】
本発明のいくつかの実施例において、前記ｎ個の補償グレースケールに基づいて液晶分子を対応して偏向駆動する点において、前記駆動ユニット５０１２は具体的に、
前記ｎ個の補償グレースケールとグレースケール変換式とに基づいて、前記ｎ個の補償グレースケールに対応するｎ個の整数グレースケールを確定し、
前記ｎ個の整数グレースケールを前記ｎ個の整数グレースケールに対応するｎ個の駆動電圧パラメータに変換し、
前記ｎ個の駆動電圧パラメータに基づいて液晶分子を対応して偏向駆動するために用いられる。
【００６８】
処理ユニット５０１は、例えば、中央処理装置（Ｃｅｎｔｒａｌ  Ｐｒｏｃｅｓｓｉｎｇ  Ｕｎｉｔ，ＣＰＵ）、汎用プロセッサ、デジタル信号プロセッサ（Ｄｉｇｉｔａｌ  Ｓｉｇｎａｌ  Ｐｒｏｃｅｓｓｏｒ，ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ，ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ，ＦＰＧＡ）又は他のプログラム可能論理デバイス、トランジスタ論理デバイス、ハードウェア部品又はそれらの任意の組み合わせなどのプロセッサ又はコントローラであってもよい。本発明に開示される内容を参照して記述される様々な例示的な論理ブロック、モジュール及び回路を実施又は実行することができる。前記プロセッサは、１つ又は複数のマイクロプロセッサの組み合わせ、ＤＳＰとマイクロプロセッサとの組み合わせなどを含む計算機能を実現する組み合わせであってもよい。記憶ユニット５０３はメモリであってもよく、通信ユニット５０２はトランシーバ、送受信回路、無線周波数チップ、通信インタフェースなどであってもよい。
【００６９】
本発明の実施例は、スクリーンオフ表示時に、バックライト輝度レベルが周期的に変化し、各画素位置の液晶分子が補償グレースケールにより駆動されて対応して偏向され、上記方法の実施例に記載のいずれかの方法のステップの一部又は全部により駆動される液晶表示パネルをさらに提供している。
【００７０】
本発明の実施例は、電子データ交換用のコンピュータプログラムが格納されているコンピュータ記憶媒体であって、該コンピュータプログラムが上記方法の実施例に記載のいずれかの方法のステップの一部又は全部をコンピュータに実行させるコンピュータ記憶媒体をさらに提供している。
【００７１】
本発明の実施例は、上記方法の実施例に記載のいずれかの方法のステップの一部又は全部をコンピュータに実行させるように動作可能なコンピュータプログラムが格納された非一時的コンピュータ可読記憶媒体を含むコンピュータプログラム製品をさらに提供している。該コンピュータプログラム製品がソフトウェアインストールパッケージであってもよく、前記コンピュータは表示駆動装置を含む。
【００７２】
なお、前述した各方法の実施例について、簡単に説明するために、一連の動作の組み合わせとして記述したが、当業者であれば、本発明が記述された動作の順序に限定されるものではなく、本発明に依拠して、あるステップが他の順序又は同時に行われてもよいことを理解するであろう。また、当業者であれば、本明細書に記載された実施例がすべて好ましい実施例に属し、かかる動作及びモジュールが必ずしも本発明に必須なものとは限らないことを理解するであろう。
【００７３】
上記の実施例において、各実施例の説明にいずれも重点をおいているが、ある実施例では詳細に説明されていない部分については、他の実施例の関連説明を参照されたい。
【００７４】
本発明に係るいくつかの実施例において、開示される装置は、他の方法で実現されてもよいことが理解されるべきである。例えば、上述した装置の実施例は、単なる例示的なものであり、例えば、前記ユニットの区分は論理機能区分のみであり、実際に実施される場合に、別の区分方法があってもよく、例えば、複数のユニット又は構成要素が統合されてもよいし、他のシステムに集積されてもよいし、又は一部の特徴が省略されてもよいし、又は、実行されなくてもよい。別の点として、表示又は議論された相互間の結合又は直接結合又は通信接続は、いくつかのインタフェース、デバイス又はユニットを介した間接的な結合又は通信接続であってもよく、電気的又は他の形態であってもよい。
【００７５】
前記分離部材として説明したユニットは物理的に分離されていてもよいし、物理的に分離されていなくてもよい。ユニットとして表示される部材は物理的なユニットであってもよいし、物理的なユニットでなくてもよく、１つの位置にあってもよいし、複数のネットワークユニットに分散されていてもよい。本実施例の技術的手段の目的は、実際の必要に応じてユニットの一部又は全部を選択して実施することができる。
【００７６】
また、本発明の各実施例における各機能ユニットは、１つの処理ユニットに集積されてもよいし、各ユニットが単独で物理的に存在してもよいし、２つ以上のユニットが１つのユニットに集積されてもよい。上記集積されたユニットは、ハードウェアの形態で実現されてもよいし、ソフトウェア機能ユニットの形態で実現されてもよい。
【００７７】
前記集積されるユニットはソフトウェア機能ユニットの形態で実現され、独立した製品として販売又は利用される場合に、コンピュータ読み取り可能なメモリに格納されてもよい。このような理解に基づき、本発明の技術的手段の本質又は従来技術に寄与する部分又は該技術的手段の全部又は一部は、１つのメモリに記憶されたソフトウェア製品の形態で具現化されてもよく、該コンピュータソフトウェア製品は、パーソナルコンピュータ、サーバ又はネットワークデバイスなどの一台のコンピュータデバイスに本発明の様々な実施例に記載の方法のステップの全部又は一部を実行させるための複数の命令を含む。また、前記メモリには、Ｕディスク、読み出し専用メモリ（ＲＯＭ，Ｒｅａｄ  Ｏｎｌｙ  Ｍｅｍｏｒｙ）、ランダムアクセスメモリ（ＲＡＭ，Ｒａｎｄｏｍ  Ａｃｃｅｓｓ  Ｍｅｍｏｒｙ）、リムーバブルハードディスク、磁気ディスク又は光ディスクなどのプログラムコードを格納可能な各種媒体が含まれる。
【００７８】
当業者は上記実施例の各種方法におけるステップの全部又は一部がプログラムによって関連するハードウェアを命令して完成することができ、該プログラムが、ＵＳＢメモリ、読み出し専用メモリ（英文：Ｒｅａｄ−Ｏｎｌｙ  Ｍｅｍｏｒｙ、ＲＯＭと略称）、ランダムアクセスメモリ（英文：Ｒａｎｄｏｍ  Ａｃｃｅｓｓ  Ｍｅｍｏｒｙ、ＲＡＭと略称）、磁気ディスク又は光ディスク等のコンピュータ読み取り可能なメモリに記憶されてもよい。
【００７９】
以上本発明の実施例について詳細に説明したが、本明細書では具体的な実施例により本発明の原理及び実施形態について説明しており、以上の実施例の説明は本発明の方法及びその核心的な思想を理解するためのものに過ぎない。一方、当業者であれば、本発明の構想に基づき、具体的な実施形態及び適用範囲に変更を加えることがあり、要約すると、本明細書の内容は本発明を限定するものとして理解されるべきではない。
【図１】
2021501908.tif 000011
【図２】
2021501908.tif 000012
【図３】
2021501908.tif 000013
【図４】
2021501908.tif 000014
【図５】
2021501908.tif 000015
【国際調査報告】
2021501908.tif 000016
2021501908.tif 000017
2021501908.tif 000018
2021501908.tif 000019
2021501908.tif 000020